(57)【特許請求の範囲】
【請求項１】
表示部と、
受信メールに含まれる情報が所定の表示条件を満たすか否かを判定する判定部と、
受信メールの送信元に対する返信メールが作成されるときに、当該返信メールの内容を前記表示部に表示させる表示制御部であって、
当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部と、
前記返信メールの作成中において、前記表示条件を満たす場合には、前記表示部に内容が表示される受信メール又は返信メールに関するデータを検索する検索部と
を備え、
前記表示制御部は、
前記返信メールの作成中において、当該返信メールの内容とは別に前記受信メールの内容を表示させているときには、前記検索部が検索したデータの内容を前記表示部に表示させる
ことを特徴とする通信端末。
【請求項２】
表示部と、
受信メールに含まれる情報が所定の表示条件を満たすか否かを判定する判定部と、
受信メールの送信元に対する返信メールが作成されるときに、当該返信メールの内容を前記表示部に表示させる表示制御部であって、
当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部と、
返信メールの内容とは別に受信メールの内容が表示されているときに、当該内容を表示させないことを指示する操作を受け付ける受付部と、
前記受付部が前記操作を受け付けた回数又は頻度が閾値以上になった場合に、前記表示条件を満たすと前記判定部が判定しにくくなるように当該表示条件を変更する条件変更部と
を備え、
前記表示制御部は、前記受付部が前記操作を受け付けると、前記受信メールの内容を表示させないようにする
ことを特徴とする通信端末。
【請求項３】
表示部と、
受信メールに含まれる情報が所定の表示条件を満たすか否かを判定する判定部と、
受信メールの送信元に対する返信メールが作成されるときに、当該返信メールの内容を前記表示部に表示させる表示制御部であって、
当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部と、
返信メールの内容とは別に受信メールの内容が表示されていないときに、当該内容を表示させることを指示する操作を受け付ける受付部と、
前記受付部が前記操作を受け付けた回数又は頻度が閾値以上になった場合に、前記表示条件を満たすと前記判定部が判定しやすくなるように当該表示条件を変更する条件変更部と
を備え、
前記表示制御部は、前記受付部が前記操作を受け付けると、前記返信メールの内容とは別に前記受信メールの内容を表示させる
ことを特徴とする通信端末。
【請求項４】
表示部と、
受信メールに含まれる情報が所定の表示条件を満たすか否かを判定する判定部と、
受信メールの送信元に対する返信メールが作成されるときに、当該返信メールの内容を前記表示部に表示させる表示制御部であって、
当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部と、
自端末に電力供給する電池の残量を特定する残量特定部と
を備え、
前記表示制御部は、前記残量特定部が特定した残量が閾値以下である場合には、前記受信メールの内容を表示させないようにする
ことを特徴とする通信端末。
【請求項５】
表示部と、
受信メールの送信元ごとに、所定期間内に自端末が当該送信元との間で送受信した電子メールの数が閾値以上であることを示す表示条件を満たすか否かを判定する判定部と、
受信メールの送信元に対する返信メールが作成されるときに、当該返信メールの内容を前記表示部に表示させる表示制御部であって、
当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部と
を備えることを特徴とする通信端末。
【請求項６】
表示部と、
受信メールの送信元に対する返信メールの作成中に、当該返信メールに含まれる情報又は当該返信メールの作成状況が所定の表示条件を満たすか否かを判定する判定部と、
返信メールが作成されるときに、その内容を前記表示部に表示させる表示制御部であって、
前記表示条件を満たすと前記判定部が判定した場合には、当該返信メールの内容とは別に前記受信メールの内容を表示させ、前記表示条件を満たさないと前記判定部が判定した場合には、当該内容を表示させない表示制御部と、
前記返信メールの作成中において、前記表示条件を満たす場合には、前記表示部に内容が表示される受信メール又は返信メールに関するデータを検索する検索部と
を備え、
前記表示制御部は、
前記返信メールの作成中において、当該返信メールの内容とは別に前記受信メールの内容を表示させているときには、前記検索部が検索したデータの内容を前記表示部に表示させる
ことを特徴とする通信端末。
【請求項７】
表示部と、
受信メールの送信元に対する返信メールの作成中に、当該返信メールに含まれる情報又は当該返信メールの作成状況が所定の表示条件を満たすか否かを判定する判定部と、
返信メールが作成されるときに、その内容を前記表示部に表示させる表示制御部であって、
前記表示条件を満たすと前記判定部が判定した場合には、当該返信メールの内容とは別に前記受信メールの内容を表示させ、前記表示条件を満たさないと前記判定部が判定した場合には、当該内容を表示させない表示制御部と、
返信メールの内容とは別に受信メールの内容が表示されているときに、当該内容を表示させないことを指示する操作を受け付ける受付部と、
前記受付部が前記操作を受け付けた回数又は頻度が閾値以上になった場合に、前記表示条件を満たすと前記判定部が判定しにくくなるように当該表示条件を変更する条件変更部と
を備え、
前記表示制御部は、前記受付部が前記操作を受け付けると、前記受信メールの内容を表示させないようにする
ことを特徴とする通信端末。
【請求項８】
表示部と、
受信メールの送信元に対する返信メールの作成中に、当該返信メールに含まれる情報又は当該返信メールの作成状況が所定の表示条件を満たすか否かを判定する判定部と、
返信メールが作成されるときに、その内容を前記表示部に表示させる表示制御部であって、
前記表示条件を満たすと前記判定部が判定した場合には、当該返信メールの内容とは別に前記受信メールの内容を表示させ、前記表示条件を満たさないと前記判定部が判定した場合には、当該内容を表示させない表示制御部と、
返信メールの内容とは別に受信メールの内容が表示されていないときに、当該内容を表示させることを指示する操作を受け付ける受付部と、
前記受付部が前記操作を受け付けた回数又は頻度が閾値以上になった場合に、前記表示条件を満たすと前記判定部が判定しやすくなるように当該表示条件を変更する条件変更部と
を備え、
前記表示制御部は、前記受付部が前記操作を受け付けると、前記返信メールの内容とは別に前記受信メールの内容を表示させる
ことを特徴とする通信端末。
【請求項９】
表示部と、
受信メールの送信元に対する返信メールの作成中に、当該返信メールに含まれる情報又は当該返信メールの作成状況が所定の表示条件を満たすか否かを判定する判定部と、
返信メールが作成されるときに、その内容を前記表示部に表示させる表示制御部であって、
前記表示条件を満たすと前記判定部が判定した場合には、当該返信メールの内容とは別に前記受信メールの内容を表示させ、前記表示条件を満たさないと前記判定部が判定した場合には、当該内容を表示させない表示制御部と、
自端末に電力供給する電池の残量を特定する残量特定部と
を備え、
前記表示制御部は、前記残量特定部が特定した残量が閾値以下である場合には、前記受信メールの内容を表示させないようにする
ことを特徴とする通信端末。
【発明の詳細な説明】
【技術分野】
【０００１】
本発明は、電子メールの返信時の表示制御に関する。
【背景技術】
【０００２】
通信端末が受信済みの電子メール（以下、「受信メール」という。）の内容を表示する際に、その受信メールに関連する別の情報を併せて表示する技術が、例えば特許文献１〜３に開示されている。特許文献１，２は、縦長表示状態から横長表示状態に切り替えられた場合に、表示画面を２つの表示領域に分割して、受信メールの内容と添付ファイルに基づく画像とを同時に表示すること（特許文献１）や、受信メールの内容と別のアプリケーションプログラムに応じた画面とを同時に表示すること（特許文献２）を開示している。特許文献３は、レバー操作部のレバーの位置に応じて、受信メールの送信元に返信される電子メール（以下、「返信メール」という。）の作成中に、受信メール及び返信メールの内容を分割表示することを開示している。
【先行技術文献】
【特許文献】
【０００３】
【特許文献１】特開２００８−１９２０３４号公報
【特許文献２】特開２００８−１７３７３号公報
【特許文献３】特開２００７−３１８４２３号公報
【発明の概要】
【発明が解決しようとする課題】
【０００４】
ところで、通信端末が返信メールを作成する際に、ユーザにとっては受信メールの内容を参照したい場合とそうでない場合との両方があると考えられる。このようなユーザの要望に応じた態様で通信端末が画面表示をすることができれば、ユーザにとっては便利である。
そこで、本発明の目的は、受信メールの送信元に対する返信メールが作成されるときに、必要に応じて返信メールの内容とは別に受信メールの内容を表示することである。
【課題を解決するための手段】
【０００５】
上述した課題を解決するため、本発明の通信端末は、表示部と、受信メールに含まれる情報が所定の表示条件を満たすか否かを判定する判定部と、受信メールの送信元に対する返信メールが作成されるときに、当該返信メールの内容を前記表示部に表示させる表示制御部であって、当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部と、前記返信メールの作成中において、前記表示条件を満たす場合には、前記表示部に内容が表示される受信メール又は返信メールに関するデータを検索する検索部とを備え、前記表示制御部は、前記返信メールの作成中において、当該返信メールの内容とは別に前記受信メールの内容を表示させているときには、前記検索部が検索したデータの内容を前記表示部に表示させることを特徴とする。
【０００６】
また、本発明の通信端末は、表示部と、受信メールに含まれる情報が所定の表示条件を満たすか否かを判定する判定部と、受信メールの送信元に対する返信メールが作成されるときに、当該返信メールの内容を前記表示部に表示させる表示制御部であって、当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部と、返信メールの内容とは別に受信メールの内容が表示されているときに、当該内容を表示させないことを指示する操作を受け付ける受付部と、前記受付部が前記操作を受け付けた回数又は頻度が閾値以上になった場合に、前記表示条件を満たすと前記判定部が判定しにくくなるように当該表示条件を変更する条件変更部とを備え、前記表示制御部は、前記受付部が前記操作を受け付けると、前記受信メールの内容を表示させないようにすることを特徴とする。
【０００７】
また、本発明の通信端末は、表示部と、受信メールに含まれる情報が所定の表示条件を満たすか否かを判定する判定部と、受信メールの送信元に対する返信メールが作成されるときに、当該返信メールの内容を前記表示部に表示させる表示制御部であって、当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部と、返信メールの内容とは別に受信メールの内容が表示されていないときに、当該内容を表示させることを指示する操作を受け付ける受付部と、前記受付部が前記操作を受け付けた回数又は頻度が閾値以上になった場合に、前記表示条件を満たすと前記判定部が判定しやすくなるように当該表示条件を変更する条件変更部とを備え、前記表示制御部は、前記受付部が前記操作を受け付けると、前記返信メールの内容とは別に前記受信メールの内容を表示させることを特徴とする。
【０００８】
また、本発明の通信端末は、表示部と、受信メールに含まれる情報が所定の表示条件を満たすか否かを判定する判定部と、受信メールの送信元に対する返信メールが作成されるときに、当該返信メールの内容を前記表示部に表示させる表示制御部であって、当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部と、自端末に電力供給する電池の残量を特定する残量特定部とを備え、前記表示制御部は、前記残量特定部が特定した残量が閾値以下である場合には、前記受信メールの内容を表示させないようにすることを特徴とする。
【０００９】
また、本発明の通信端末は、表示部と、受信メールの送信元ごとに、所定期間内に自端末が当該送信元との間で送受信した電子メールの数が閾値以上であることを示す表示条件を満たすか否かを判定する判定部と、受信メールの送信元に対する返信メールが作成されるときに、当該返信メールの内容を前記表示部に表示させる表示制御部であって、当該受信メールについて前記表示条件を満たすと前記判定部が判定した場合には、当該返信メールの内容とは別に当該受信メールの内容を表示させ、前記表示条件を満たさないと前記判定部が判定した場合には、当該内容を表示させない表示制御部とを備えることを特徴とする。
【００１０】
また、本発明の通信端末は、表示部と、受信メールの送信元に対する返信メールの作成中に、当該返信メールに含まれる情報又は当該返信メールの作成状況が所定の表示条件を満たすか否かを判定する判定部と、返信メールが作成されるときに、その内容を前記表示部に表示させる表示制御部であって、前記表示条件を満たすと前記判定部が判定した場合には、当該返信メールの内容とは別に前記受信メールの内容を表示させ、前記表示条件を満たさないと前記判定部が判定した場合には、当該内容を表示させない表示制御部と、前記返信メールの作成中において、前記表示条件を満たす場合には、前記表示部に内容が表示される受信メール又は返信メールに関するデータを検索する検索部とを備え、前記表示制御部は、前記返信メールの作成中において、当該返信メールの内容とは別に前記受信メールの内容を表示させているときには、前記検索部が検索したデータの内容を前記表示部に表示させることを特徴とする。
【００１１】
また、本発明の通信端末は、表示部と、受信メールの送信元に対する返信メールの作成中に、当該返信メールに含まれる情報又は当該返信メールの作成状況が所定の表示条件を満たすか否かを判定する判定部と、返信メールが作成されるときに、その内容を前記表示部に表示させる表示制御部であって、前記表示条件を満たすと前記判定部が判定した場合には、当該返信メールの内容とは別に前記受信メールの内容を表示させ、前記表示条件を満たさないと前記判定部が判定した場合には、当該内容を表示させない表示制御部と、返信メールの内容とは別に受信メールの内容が表示されているときに、当該内容を表示させないことを指示する操作を受け付ける受付部と、前記受付部が前記操作を受け付けた回数又は頻度が閾値以上になった場合に、前記表示条件を満たすと前記判定部が判定しにくくなるように当該表示条件を変更する条件変更部とを備え、前記表示制御部は、前記受付部が前記操作を受け付けると、前記受信メールの内容を表示させないようにすることを特徴とする。
【００１２】
また、本発明の通信端末は、表示部と、受信メールの送信元に対する返信メールの作成中に、当該返信メールに含まれる情報又は当該返信メールの作成状況が所定の表示条件を満たすか否かを判定する判定部と、返信メールが作成されるときに、その内容を前記表示部に表示させる表示制御部であって、前記表示条件を満たすと前記判定部が判定した場合には、当該返信メールの内容とは別に前記受信メールの内容を表示させ、前記表示条件を満たさないと前記判定部が判定した場合には、当該内容を表示させない表示制御部と、返信メールの内容とは別に受信メールの内容が表示されていないときに、当該内容を表示させることを指示する操作を受け付ける受付部と、前記受付部が前記操作を受け付けた回数又は頻度が閾値以上になった場合に、前記表示条件を満たすと前記判定部が判定しやすくなるように当該表示条件を変更する条件変更部とを備え、前記表示制御部は、前記受付部が前記操作を受け付けると、前記返信メールの内容とは別に前記受信メールの内容を表示させることを特徴とする。
また、本発明の通信端末は、表示部と、受信メールの送信元に対する返信メールの作成中に、当該返信メールに含まれる情報又は当該返信メールの作成状況が所定の表示条件を満たすか否かを判定する判定部と、返信メールが作成されるときに、その内容を前記表示部に表示させる表示制御部であって、前記表示条件を満たすと前記判定部が判定した場合には、当該返信メールの内容とは別に前記受信メールの内容を表示させ、前記表示条件を満たさないと前記判定部が判定した場合には、当該内容を表示させない表示制御部と、自端末に電力供給する電池の残量を特定する残量特定部とを備え、前記表示制御部は、前記残量特定部が特定した残量が閾値以下である場合には、前記受信メールの内容を表示させないようにすることを特徴とする。
【００１３】
本発明のプログラムは、表示部を有する通信端末のコンピュータに、受信メールに含まれる情報が所定の表示条件を満たすか否かを判定する判定ステップと、受信メールの送信元に対する返信メールが作成されるときに、当該返信メールの内容を前記表示部に表示させる表示制御ステップであって、当該受信メールについて前記表示条件を満たすと前記判定ステップで判定した場合には、当該返信メールの内容とは別に当該受信メールの内容を表示させ、前記表示条件を満たさないと前記判定ステップで判定した場合には、当該内容を表示させない表示制御ステップとを実行させるためのものである。
本発明の別のプログラムは、表示部を有する通信端末のコンピュータに、受信メールの送信元ごとに、所定期間内に自端末が当該送信元との間で送受信した電子メールの数が閾値以上であることを示す表示条件を満たすか否かを判定する判定ステップと、受信メールの送信元に対する返信メールが作成されるときに、当該返信メールの内容を前記表示部に表示させる表示制御ステップであって、当該受信メールについて前記表示条件を満たすと前記判定ステップで判定した場合には、当該返信メールの内容とは別に当該受信メールの内容を表示させ、前記表示条件を満たさないと前記判定ステップで判定した場合には、当該内容を表示させない表示制御ステップとを実行させるためのものである。
本発明の別のプログラムは、表示部を有する通信端末のコンピュータに、受信メールの送信元に対する返信メールの作成中に、当該返信メールに含まれる情報又は当該返信メールの作成状況が所定の表示条件を満たすか否かを判定する判定ステップと、返信メールが作成されるときに、その内容を前記表示部に表示させる表示制御ステップであって、前記表示条件を満たすと前記判定ステップで判定した場合には、当該返信メールの内容とは別に前記受信メールの内容を表示させ、前記表示条件を満たさないと前記判定ステップで判定した場合には、当該内容を表示させない表示制御ステップを実行させるためのものである。
【発明の効果】
【００１４】
本発明によれば、受信メールの送信元に対する返信メールが作成されるときに、必要に応じて返信メールの内容とは別に受信メールの内容を表示することができる。
【図面の簡単な説明】
【００１５】
【図１】通信端末の外観を示す正面図
【図２】通信端末の構成を示すブロック図
【図３】受信メール画面の一例を示す図
【図４】第２形態のときのメール返信画面の一例を示す図
【図５】第１形態のときのメール返信画面の一例を示す図
【図６】制御部が実現する機能構成を示す機能ブロック図
【図７】制御部が実行する動作の手順を示すフローチャート
【図８】制御部が実現する機能構成を示す機能ブロック図
【図９】制御部が実行する動作の手順を示すフローチャート
【図１０】メール返信画面の一例を示す図
【図１１】制御部が実現する機能構成を示す機能ブロック図
【図１２】メール返信画面の一例を示す図
【発明を実施するための形態】
【００１６】
以下、図面を参照しつつ本発明の実施形態について説明する。
［第１実施形態］
まず、本発明の第１実施形態について説明する。
図１は、通信端末１０の外観を示す正面図である。
通信端末１０は、折り畳み式の携帯電話端末であり、その構成は第１ユニット１００と第２ユニット２００とに大別される。通信端末１０において、第１ユニット１００は、第２ユニット２００に対する相対的な姿勢が変化し得るように構成されている。図１（ａ），（ｂ）は、それぞれ、通信端末１０が折り畳まれていないときの外観を表す。このとき、第２ユニット２００が正面に有している表示部１４の矩形の表示領域と、第１ユニット１００が正面に有している操作部１２の操作子群とがそれぞれ外部に露出する。
なお、以下の説明において、通信端末１０の正面を図示の姿勢で見たときの図中上下方向を「縦」とし、図中左右方向を「横」として各方向を表すことがある。
【００１７】
図１（ａ）は、通信端末１０が第１形態のときの外観を表すものである。第１形態のとき、表示部１４の表示領域の長辺はユーザから見て縦に延びており、短辺はユーザから見て横に延びている。図１（ｂ）は、通信端末１０が第２形態のときの外観を表す。第２形態のとき、表示部１４の表示領域の短辺がユーザから見て縦に延びており、長辺がユーザから見て横に延びている。通信端末１０は第１又は第２形態のいずれかの形態となるが、ユーザが第１ユニット１００に対する第２ユニット２００の姿勢を相対的に変化させることで、各形態を相互に変更可能である。
【００１８】
図２は、通信端末１０の構成を示すブロック図である。図２に示すように、通信端末１０は、制御部１１と、操作部１２と、通信部１３と、表示部１４と、記憶部１５とを備える。
制御部１１は、ＣＰＵ（Central Processing Unit）を含む演算装置やメモリを備える制御装置であり、メモリや記憶部１５に記憶されたプログラムを実行することにより、通信端末１０の動作を制御する。操作部１２は、テンキーなどの操作子群を備え、ユーザによる操作子の操作を受け付けて、その操作に応じた操作信号を制御部１１に出力する。通信部１３は、無線通信回路やアンテナを備え、移動通信網やインターネット、ゲートウェイなどを含む通信網に接続するためのインタフェースである。通信部１３は、例えば電子メールを送信又は受信する。表示部１４は、例えば液晶駆動回路や液晶ディスプレイを備えるとともに、通信端末１０の正面に表示領域を有している。表示部１４は、表示領域に画像を表示して、各種の画面表示を行う。記憶部１５は、例えばＥＥＰＲＯＭ（Electronically Erasable and Programmable ROM）を備え、メーラ１５１を記憶するとともに、条件記憶部１５２を有している。また、記憶部１５は、受信メールや送信メールなど、通信端末１０が既に送受信した電子メールを記憶する。
【００１９】
メーラ１５１は、電子メールの作成や送受信など、電子メールに関する制御を実行する際に、制御部１１により実行されるアプリケーションプログラムである。条件記憶部１５２は、受信メールの送信元に対する返信メールを作成される際に、制御部１１によりその記憶内容が参照されて表示制御が実行される。条件記憶部１５２は、具体的には、返信メール作成時の画面表示に関する所定の条件（以下、「表示条件」という。）に関する情報を記憶する。条件記憶部１５２が記憶する内容については後述する。
次に、制御部１１がメーラ１５１を実行して、表示部１４に表示する画面について説明する。
【００２０】
図３は、受信メールの内容が表示されたときの表示部１４の表示画面（以下、「受信メール画面」という。）の一例を示す図である。図３（ａ）は、通信端末１０が第１形態のときの表示画面を表し、図３（ｂ）は、通信端末１０が第２形態のときの表示画面を表す。図３（ａ），（ｂ）に示すように、各形態で受信メール画面において表示される情報は互いに共通するが、例えば第２形態の方が第１形態の場合に比べて１行当たりの文字数が多いなど、その表示態様が互いに異なる。
なお、受信メール画面や後述する各表示画面において、「Ｆｒｏｍ」の欄に示される例えば「○山△子」という名称（例えば、氏名）は、受信メールの送信元の名称を表す。また、「Ｓｕｂ」の欄に示される「明日の予定」という文字列は、受信メールの表題（タイトル）を表す。また、これら各欄の図中下側の所定領域の内容が、受信メールの本文に相当する。受信メールの本文には、所定のコード体系に従う文字コードによって表される文字のほか、いわゆる絵文字や画像データが表す画像などが含まれることがある。
【００２１】
続いて、通信端末１０が返信メールを作成する際に、表示部１４に表示する画面（以下、「メール返信画面」という。）について説明する。返信メールは、受信メールの送信元に対して送信される電子メールであるが、例えば表示部１４に受信メールの内容が表示されているときに、ユーザが返信メールの作成を指示する操作部１２の操作を行うことで作成を開始することのできる電子メールである。また、返信メールでは、受信メールの送信元以外の送信先が併せて指定されてもよい。
【００２２】
図４は、通信端末１０が第２形態のときのメール返信画面の一例を示す図である。図４は、図３に示す受信メール画面に対応するメール返信画面を示す図である。
なお、メール返信画面において、「Ｔｏ」の欄に示される名称（例えば、氏名）は、返信メールの送信先の名称を表す。返信メールの送信先は、換言すると、受信メールの送信元である。
図４に示すように、第２形態のときに通信端末１０は、表示部１４の表示領域を、第１表示領域１４１と第２表示領域１４２とに横方向に２分割する。そして、通信端末１０は、第１表示領域１４１に作成中の返信メールの内容を表示し、それとは別に、第２表示領域１４２に受信メールの内容を表示する。この場合、ユーザは、第２表示領域１４２の受信メールの内容を参照しつつ、返信メールを作成することが可能となる。
【００２３】
図５は、通信端末１０が第１形態のときのメール返信画面の一例を示す図である。図５は、図３に示す受信メール画面に対応するメール返信画面を示す図である。
通信端末１０が第１形態である場合に、メール返信画面において返信メールの内容とは別に受信メールの内容を表示するときには、（図５（ａ）の表示態様）と、表示しない場合（図５（ｂ）の表示態様）との両方があり得る。通信端末１０がいずれの表示態様とするかは、条件記憶部１５２に記憶された表示条件を満たすか否かにより決まる。通信端末１０が表示条件を満たさないと判定した場合には、受信メールの内容を表示させない。一方、通信端末１０が表示条件を満たすと判定した場合に、図示せぬ電池の電池残量が閾値以上であると判定したときには、受信メールの内容を表示させる。
受信メールの内容を表示させる場合、通信端末１０は、表示部１４の表示領域を第１表示領域１４１と、第２表示領域１４２とに縦方向に２分割する。そして、通信端末１０は、第１表示領域１４１に作成中の返信メールの内容を表示し、第２表示領域１４２にその返信メールの基となった受信メールの内容を表示する。
【００２４】
図５（ａ）に示すように、受信メールの内容がメール返信画面において表示されない場合、ユーザは受信メールの内容を返信メールの作成中に参照することができない。一方で、返信メールの内容が表示される領域が、図５（ｂ）に示すように受信メールの内容が表示される場合に比べて大きい。よって、例えば絵文字を選択するための別画面（ウィンドウ）がメール返信画面において表示された場合であっても、返信メールの内容の表示に十分な領域が確保される。このように、メール返信画面に受信メールが表示されないことも、ユーザにとって返信メールの作成をしやすい表示態様になり得る。一方、受信メールの内容が表示される場合は、ユーザは受信メールの内容を参照することができるので、その内容を参照しつつ、返信メールを作成することができるという利点がある。
【００２５】
図６は、制御部１１が実現する機能構成を示す機能ブロック図である。
制御部１１はメーラ１５１を含むプログラムを実行することにより、判定部１１１、残量特定部１１２、表示制御部１１３及び受付部１１４に相当する各機能を実現する。
判定部１１１は、条件記憶部１５２に記憶された表示条件を満たすか否かを判定する。例えば、判定部１１１は、或る受信メールが指定され、その受信メールの送信元に対する返信メールの作成を指示する操作部１２の操作が行われたことを契機に、表示条件を満たすか否かを判定する。
【００２６】
残量特定部１１２は、通信端末１０に電力供給する図示せぬ電池の電池残量を特定する。電池の電圧はその電池残量に対応した大きさとなるから、例えば、残量特定部１１２はその電圧値から電池残量を特定する。
【００２７】
表示制御部１１３は、通信部１３により送受信された電子メールの内容を表示部１４に表示させる。また、表示制御部１１３は、通信端末１０が第２形態の場合には、メール返信画面を表示させるときに、以下の機能を実現する。
表示制御部１１３は、返信メールが作成されるときに、所定の表示条件を満たすと判定部１１１が判定した場合には、メール返信画面において返信メールの内容とは別にその受信メールの内容を表示させる（つまり、図５（ｂ）の表示態様）。ただし、表示制御部１１３は、残量特定部１１２により特定された電池残量が閾値以下である場合には、その内容を表示させない。表示制御部１１３は、表示条件を満たさないと判定部１１１が判定した場合には、メール返信画面において返信メールの内容を表示させるが、それとは別に受信メールの内容を表示させないようにする（つまり、図５（ａ）の表示態様）。
【００２８】
なお、この実施形態において、メール返信画面において内容が表示される受信メールは、返信メールとは別の電子メールである。よって、返信メールで受信メールの内容が引用される場合、それはメール返信画面において表示される受信メールの内容には該当しない。
【００２９】
受付部１１４は、メール返信画面において受信メールの内容が表示されているときには、その内容を表示させないことを指示する操作を受け付ける。ここで受付部１１４が受け付ける操作は、具体的には、通信端末１０を第２形態から第１形態に変更する操作である。この操作を受け付けたことを契機として、表示制御部１１３は、メール返信画面の表示中において受信メールの内容を表示させないようにする。また、受付部１１４は、メール返信画面において受信メールの内容が表示されていないときには、その内容を表示させることを指示する操作を受け付ける。ここで受付部１１４が受け付ける操作は、具体的には、通信端末１０を第１形態から第２形態に変更する操作である。この操作を受け付けたことを契機として、表示制御部１１３は、メール返信画面において受信メールの内容を表示させる。
【００３０】
次に、条件記憶部１５２について説明する。条件記憶部１５２に記憶される表示条件は、具体的には以下のとおりである。表示条件は、下記の（構成例Ａ）〜（構成例Ｃ）の３つに大別される。
【００３１】
（構成例Ａ）「受信メールに含まれる情報」
構成例Ａでは、判定部１１１は、通信部１３が受信した受信メールに含まれる情報が表示条件を満たすか否かを判定する。受信メールに含まれる情報は、例えば、受信メールの表題や本文の内容（文字や画像などの入力内容）や、受信メールの送信元、添付ファイルの内容やその有無、受信メールの受信時刻などである。要するに、受信メールに含まれる情報は、受信メールを構成するデータによって特定可能な情報であればよい。
つまり、構成例Ａでは、条件記憶部１５２に記憶される表示条件は、受信メールに含まれる情報の観点からの受信メールの参照の必要性に基づいて決められている。
次に、構成例Ａの表示条件の具体例を説明する。
【００３２】
例えば、以下の（Ａ−１），（Ａ−２）の項で説明するように、送信元の通信端末のユーザの入力操作に応じて受信メールに含められる内容を、表示条件とすることができる。具体的には以下のとおりである。
（Ａ−１）文字の量
電子メールの本文に含まれる文字の量（ここでは、文字数）が閾値（例えば、２０文字）以上であることを表示条件としてもよい。この場合、判定部１１１は、受信メールの本文に含まれる文字数を計数する。そして、判定部１１１は、計数した文字数が閾値以上である場合には表示条件を満たすと判定し、計数した文字数が閾値未満である場合には表示条件を満たさないと判定する。
本構成例の場合、表示制御部１１３は、受信メールの本文の文字（例えば、文字コードにより表される文字）の量が比較的多い場合にのみ、メール返信画面において受信メールの内容を表示する。受信メールの本文の文字の量が多い場合、例えば図３に示すように受信メールに確認事項や質問事項が含まれている可能性がある。つまり、本文の文字の量が少ない場合に比べて、重要度の高い用件が含まれる可能性が高いと考えられる。受信メールの本文の文字の量が多い場合、ユーザにしてみれば返信メールの作成に慎重を要する場合もあるから、受信メールの内容を確認できた方がユーザにとって便利であると考えられる。一方、メール本文の文字の量が少ない場合、その内容を記憶することはユーザにとって比較的容易であるし、受信メールの内容を参照する必要性は低いと考えられる。
なお、本構成例において、受信メールの表題の文字の量も加味するようにしてもよい。また、本構成例においては、文字コードによって表される文字のほか、かかる文字コードコード以外のコードによって表される文字（例えば、絵文字）が含まれてもよい。
【００３３】
（Ａ−２）特定の文字又は文字列の有無
電子メールの表題又は本文に、あらかじめ決められた特定の文字又は文字列（以下、「特定語」という。）が含まれていることを表示条件としてもよい。この特定語には、例えば「？」（クエスチョンマーク）がある。この場合、判定部１１１は、受信メールの表題又は本文に特定語が含まれているか否かを判定する。そして、判定部１１１は、「？」が含まれていれば表示条件を満たすと判定し、「？」が含まれていなければ表示条件を満たさないと判定する。
本構成例の場合、表示制御部１１３は、受信メールの表題又は本文に「？」が含まれている場合にのみ、メール返信画面において受信メールの内容を表示する。例えば、受信メールに「？」が含まれている場合、文章が疑問形であるがゆえ、図３に示すように確認事項や質問事項が含まれている可能性がある。また、受信メールに「？」が含まれている場合は、「？」が含まれていない場合に比べて、送信元のユーザが返信メールの送信を期待している可能性が高いと考えられる。よって、通信端末１０のユーザにとっては、返信メールを作成する際に受信メールの内容を確認できた方が便利であると考えられる。
【００３４】
なお、本構成例に適用可能な特定語は、例えば「日」や「時」など特定の時期を示す語句であってもよい。この場合、電子メールの遣り取りで時期に関する打ち合わせをしている可能性があり、送信元のユーザが電子メールの返信を期待している可能性が高いと考えられる。つまり、この構成例で適用可能な特定語は、例えば、重要度の高い要件を含む電子メールに用いられる頻度が高い語句や、送信元のユーザが返信を期待している可能性が高い電子メールに用いられる語句など、所定の条件を満たす語句に決められるとよい。また、この特定語は、通信端末１０の設計段階で決められてもよいし、ユーザが事前に指定することにより決められてもよい。
また、本構成例において、判定部１１１は、受信メールの本文についてのみ特定語に基づく判定をしてもよい。また、本構成例の文字列は、上記の文字コードによって表される文字のほか、文字コードコード以外のコードによって表される絵文字などが含まれてもよい。
【００３５】
また、以下の（Ａ−３）の項などで説明するように、送信元の通信端末のユーザの入力操作に応じて受信メールに含められる内容以外に、受信メールに設定された内容や受信メールの属性を表示条件とすることもできる。具体的には以下のとおりである。
（Ａ−３）送信元
例えば、受信メールの送信元を表示条件としてもよい。この送信元は、例えばユーザにとって会社の上司など、ユーザによりあらかじめ決められた特定の送信元である。
本構成例の場合、表示制御部１１３は、受信メールの送信元が特定の送信元である場合にのみ、メール返信画面において受信メールの内容を表示する。例えば、ユーザにしてみれば、電子メールの送信先によってその返信内容に気を配る場合があり、その送信先によって受信メールを参照したい場合とでない場合との両方があると考えられる。
また、判定部１１１は、受信メールのデータサイズが閾値以上である場合に表示条件を満たすと判定してもよい。受信メールのデータサイズは、受信メールに含まれる文字量の指標となり得るからである。また、判定部１１１は、受信メールに画像などのファイルが添付された場合に表示条件を満たすと判定してもよい。この場合、表示制御部１１３は、メール返信画面において受信メールの添付ファイルの内容を表示させると、ユーザはそれを見ながら返信メールを作成することができる。
【００３６】
（構成例Ｂ）「通信端末１０と送信元との間で、所定期間内に送受信した電子メールの数」
構成例Ｂでは、判定部１１１は、受信メールの送信元ごとに、その送信元と通信端末１０との間で所定期間内に送受信した電子メールの数（つまり、電子メールの遣り取りの頻度）が閾値以上であることを表示条件とする。例えば、判定部１１１は、１日以内に３回以上の電子メールの往復があった場合に、表示条件を満たすと判定する。この場合の往復については、例えば、通信端末１０が受信した受信メール及びそれに応じて返信した返信メールを一組とし、これの一組の存在を１往復の電子メールの遣り取りがあったとみなしてよい。
このように、自通信端末１０と送信元との間で電子メールの遣り取りが多い場合、ユーザにしてみればその遣り取りの経緯を確認したい場合があると考えられる。よって、ユーザにとってはメール返信画面で受信メールの内容を参照できれば便利であると考えられる。
【００３７】
（構成例Ｃ）返信メールに含まれる情報又はその返信メールの作成状況
（Ｃ−１）返信メールに含まれる情報
構成例Ｃ−１では、判定部１１１は、返信メールの作成中に、その返信メールに含まれる情報が表示条件を満たすか否かを判定する。返信メールに含まれる情報は、上述したような受信メールの場合と同様であり、例えば、返信メールの表題や本文を示す情報や、返信メールの送信元を示す情報、添付ファイルの内容やその有無などである。要するに、返信メールに含まれる情報は、返信メールを構成するデータであればよい。
【００３８】
次に、構成例Ｃ−１の表示条件の具体例を説明する。
例えば、通信端末１０のユーザの入力操作に応じて返信メールの本文や表題に含められる内容を表示条件とすることができる。具体的には以下のとおりである。
例えば、返信メールの本文に含まれる文字の量（例えば、文字数）が閾値（例えば、２０文字）以上であることを表示条件としてよい。この構成例は、「（Ａ−１）文字の量」の項で説明した構成と同様の知見に基づくものである。具体的には、判定部１１１は、返信メールの本文に含まれる文字数を計数する。そして、判定部１１１は、計数した文字数が閾値以上である場合には、表示条件を満たすと判定する。本構成例の場合、表示制御部１１３は、返信メールの本文の文字数が多い場合にのみ、メール返信画面において受信メールの内容を表示させる。例えば、返信メールの本文の文字数が多い場合、受信メールに対して適切な回答になっているかなどの確認のために、ユーザが受信メールの内容を参照したい場合があると考えられる。
なお、本構成例において、返信メールの表題の文字の量も加味するようにしてもよい。また、「（Ａ−２）特定の文字又は文字列の有無」の項で説明した内容を受信メールから返信メールに変更して、本構成例に適用してもよい。
【００３９】
また、通信端末１０のユーザの入力操作に応じて受信メールに含められる内容以外に、返信メールに設定された内容や返信メールの属性を表示条件とすることができる。具体的には以下のとおりである。
「（Ａ−３）送信元」の項で説明した構成で、返信メールの送信元を返信メールの送信先に変更して、本構成例に適用してもよい。また、判定部１１１は、返信メールのデータサイズが閾値以上である場合に表示条件を満たすと判定してもよい。返信メールのデータサイズは、返信メールに含まれる文字量の指標となり得るからである。
【００４０】
（Ｃ−２）「返信メールの作成状況」
構成例Ｃ−２では、判定部１１１は、返信メールの作成中に、その返信メールの作成状況が表示条件を満たすか否かを判定する。例えば、判定部１１１は、返信メールの作成を開始してからの経過時間を表示条件とする。この場合、判定部１１１は、返信メールの作成を開始してから（例えば、メール返信画面の表示を開始したときから）、所定時間（例えば、１分）が経過したときに、表示条件を満たしたと判定する。
本構成例の場合、表示制御部１１３は、返信メールの作成を開始してから或る程度長い時間が経過した場合にのみ、メール返信画面において受信メールの内容を表示する。例えば、ユーザにしてみれば、返信メールの作成に時間を要している場合には、その内容にユーザが迷っている場合もあり、受信メールが表示された方が便利であると考えられる。
【００４１】
この知見に基づき、判定部１１１が、返信メールの作成状況として、最後に操作部１２の操作が行われてから所定時間が経過したことを表示条件とするようにしてもよい。この場合、判定部１１１は、返信メールの作成中に或る入力操作があってから、所定時間（例えば、３０秒）が経過すると、表示条件を満たしたと判定する。また、文字などの入力内容を消去する操作が閾値以上の回数又は頻度で行われることを表示条件としてもよい。
なお、通信端末１０は返信メールの作成状況に応じた動作をするから、本構成例では、返信メールの作成時における通信端末１０の動作の内容を表示条件としている、と換言することもできる。
以上が、表示条件に関する説明である。
【００４２】
次に、通信端末１０の動作を説明する。
図７は、通信端末１０の制御部１１が実行する動作の手順を示すフローチャートである。以下においては、図３に示す受信メールに対する返信メール作成時の動作を説明し、図３〜５を適宜参照する。
制御部１１は、通信端末１０の形態に応じて、図３（ａ），（ｂ）のいずれかに示す表示態様で受信メール画面を表示部１４に表示させる。そして、制御部１１は、返信メールを作成することを指示する操作部１２の操作が行われたと判定すると（ステップＳ１；ＹＥＳ）、ステップＳ２の処理に進む。
次に、制御部１１は、通信端末１０が第１形態であるか否かを判定する（ステップＳ２）。ここで、制御部１１は、通信端末１０が図１（ａ）に示すような第１形態である場合、ステップＳ２の処理で「ＹＥＳ」と判定して、ステップＳ３に進む。
【００４３】
次に、制御部１１は、表示条件を満たしているか否かを判定する（ステップＳ３）。ここでの表示条件は、上記構成例（Ａ）〜（Ｃ）のいずれによるものでもあってもよいし、各構成例を複数組み合わせたものであってもよい。ここで、制御部１１は、表示条件を満たさないと判定すると（ステップＳ３；ＮＯ）、受信メールを表示しない態様でメール返信画面を表示する（ステップＳ４）。つまり、制御部１１は、図５（ａ）に示すように、受信メールの内容を表示させないで、メール返信画面を表示部１４に表示させる。
【００４４】
ところで、制御部１１は、ステップＳ２の処理で第１形態でない、つまり第２形態であると判定すると（ステップＳ２；ＮＯ）、受信メールを表示する態様でメール返信画面を表示部１４に表示させる（ステップＳ５）。つまり、制御部１１は、図４に示すように、受信メールの内容及び作成中の返信メールの内容を含むメール返信画面を、表示部１４に表示させる。
【００４５】
また、制御部１１は、ステップＳ３の処理で表示条件を満たすと判定すると（ステップＳ３；ＹＥＳ）、ステップＳ６の処理に進む。そして、制御部１１は、電池残量が閾値以上であるか否かを判定する（ステップＳ６）。ここで、制御部１１は、電池残量が閾値以上であると判定すると（ステップＳ６；ＹＥＳ）、受信メール及び返信メールの内容を表示する態様でメール返信画面を表示部１４に表示させる（ステップＳ５）。つまり、制御部１１は、図５（ｂ）に示す態様でメール返信画面を表示部１４に表示させる。
一方、制御部１１は、電池残量が閾値未満であると判定すると（ステップＳ６；ＮＯ）、受信メールの内容を表示させないでメール返信画面を表示部１４に表示させる（ステップＳ４）。このようにしているのは、通信端末１０における受信メールの表示に関する制御を省略することで、通信端末１０の電力消費を抑えるためである。
なお、上記構成例Ｃの表示条件を用いる場合には、制御部１１は返信メールの作成中において定期的に上記処理ステップを実行するとよい。また、制御部１１は、通信端末１０の形態が変化させられた場合にも、上記処理ステップを実行するとよい。
【００４６】
以上のようにして、制御部１１はメール返信画面を表示させると、返信メールを作成するための処理を実行する。例えば、制御部１１は、操作部１２の操作内容に応じて返信メールを編集するとともに、その編集内容を反映させるように表示部１４の内容を更新する。そして、制御部１１は、操作部１２が操作されて返信メールの送信が指示されると、通信部１３によって送信先（つまり、受信メールの送信元）宛てに返信メールを送信する。
【００４７】
以上説明したように、通信端末１０は、表示条件に基づいて、メール返信画面において受信メールの内容を表示させるか否かを判定する。通信端末１０が受信メールを表示させない場合は、例えば受信メールの内容をユーザが参照することを望んでいないと考えられる場合である。この場合、ユーザにとって不便をかけることなく、通信端末１０は、表示部１４の表示領域全体を使って返信メールの内容を表示させることができる。一方、通信端末１０が受信メールを表示させる場合は、例えば受信メールの内容をユーザが参照することを望んでいると考えられる場合である。この場合、通信端末１０は、表示部１４の表示領域の一部を使って受信メールの内容を表示する。
以上の構成により、通信端末１０によれば、受信メールの送信元に電子メールが返信される場合に、その返信メールの作成中に、必要に応じて受信メールの内容を表示することできる。
【００４８】
［第２実施形態］
次に、本発明の第２実施形態について説明する。
この実施形態の通信端末１０は、メール返信画面において受信メールの内容を表示させる際に、さらに受信メールに関連したデータの内容を表示させる点で、第１実施形態の構成と相違する。通信端末１０のハードウェア構成や、表示条件の内容は上述の第１実施形態のものと共通する。ただし、この実施形態では、記憶部１５には、地図を表す地図データがあらかじめ記憶されている。以下の説明において、第１実施形態の構成と同一のものについては同じ符号を付して表し、その説明を適宜省略する。
【００４９】
図８は、制御部１１が実現する機能構成を示す機能ブロック図である。
制御部１１はメーラ１５１を含むプログラムを実行することにより、判定部１１１、残量特定部１１２、表示制御部１１３、受付部１１４及び抽出部１１５及び検索部１１６に相当する各機能を実現する。
なお、判定部１１１、残量特定部１１２及び受付部１１４が実現する機能は、上述の第１実施形態と同じであり、その説明を省略する。
【００５０】
抽出部１１５は、受信メールの本文に含まれるキーワードを抽出する。抽出部１１５は、例えば受信メールの本文に対して形態素解析を施す。そして、抽出部１１５は、形態素解析の結果から名詞に分類されるキーワードを抽出する。
検索部１１６は、抽出部１１５が抽出したキーワードを含むデータを検索する。例えば、検索部１１６は、抽出部１１５により地名が検索された場合には、記憶部１５に記憶された地図データからその地名の場所を検索する。また、検索部１１６は、抽出部１１５により人名が検索された場合には、例えば通信部１３を介して所定の検索エンジンにアクセスし、このキーワードを用いて検索することにより、その人名に関するデータ（例えば、Ｗｅｂデータ）を検索する。
【００５１】
表示制御部１１３は、判定部１１１が表示条件を満たすと判定した場合には、表示部１４の表示領域を、第１表示領域１４１と、第２表示領域１４２と、第３表示領域１４３との３つに分割する（図１０参照）。そして、表示制御部１１３は、返信メールの作成中には、第３表示領域１４３に、検索部１１６が検索したデータの内容を表示させる。
なお、表示制御部１１３が第１表示領域１４１及び第２表示領域１４２に表示させる内容は上述した第１実施形態と同じである。また、判定部１１１が表示条件を満たすと判定した場合に表示制御部１１３が実現する機能も、第１実施形態と同じである。
【００５２】
図９は、通信端末１０の制御部１１が実行する動作の手順を示すフローチャートである。
なお、図７と同一の処理ステップについては同一の符号を付して表し、その説明を省略する。また、以下の説明では、図３に示す受信メール対する返信メールを作成する場合の動作について説明する。
制御部１１は、ステップＳ２の処理で第１形態でないと判定するか（ステップＳ２；ＮＯ）、又はステップＳ６の処理で電池残量が閾値以上であると判定すると（ステップＳ６；ＹＥＳ）、ステップＳ５１の処理に進む。そして、制御部１１は、受信メールからキーワードを抽出する（ステップＳ５１）。ここでは、制御部１１は、受信メールから地名として「○△駅」というキーワードを抽出する。
【００５３】
次に、制御部１１は、ステップＳ５１の処理で抽出したキーワードを用いてデータを検索する（ステップＳ５２）。そして、制御部１１は、メール返信画面において、返信メール及び受信メールとともに、ステップＳ５２の処理で検索したデータ（以下、「検索データ」という。）の内容を表示部１４に表示させる（ステップＳ５３）。
【００５４】
図１０は、ステップＳ５３の処理により表示されるメール返信画面を示す図である。
制御部１１は、「○△駅」というキーワードを抽出したから、それに関する検索データの内容として、地図データの内容を第３表示領域１４３に表示させる。図１０に示すように、ここでは地図データが表す地図のうち、「○△駅」付近の地図が表示される。また、制御部１１は、抽出したキーワードであってデータの内容が表示されているキーワードに目印を付けて、第２表示領域１４２に受信メールの内容を表示させる。これにより、ユーザは、どのキーワードに関する検索データの内容が表示されているかを直ちに把握することができる。
なお、この実施形態では、抽出されるキーワードが１つのみの場合について説明したが、複数あってもよいのはもちろんである。この場合、制御部１１はキーワードごとにデータの検索を行い、その内容を第３表示領域１４３に表示させる。このとき、例えば、ユーザが操作部１２を操作してカーソルＣｕでいずれかのキーワードを選択し、制御部１１は選択されたキーワードに対応する検索データの内容を表示させる。
【００５５】
なお、検索部１１６が検索するデータの内容は、上記以外のものであってもよい。
例えば、記憶部１５が国語辞典や英和辞典などの、語句とその語句に関連する文字列とを対応付けた辞書を表す辞書データを記憶する。そして、検索部１１６は、抽出したキーワードに対応付けられた文字列を辞書データから検索してもよい。この場合、表示制御部１１３は、第３表示領域１４３にキーワードの意味や翻訳結果を表示させることができる。
このように、検索部１１６は、通信部１３によってデータ検索をしてもよいし、記憶部１５に記憶されているデータなど、自端末の内蔵データを検索してもよい。
【００５６】
また、通信端末１０がいわゆるスケジュール機能を有している場合、以下の構成としてもよい。スケジュール機能においては、その送信元のユーザに関するスケジュールが登録されていることがある。よって、検索部１１６は、受信メールの送信元に関するスケジュールをスケジュール機能から検索する。そして、表示制御部１１３は、検索されたスケジュールの内容を表示させる。また、抽出部１１５が日時を表すキーワードを抽出した場合、検索部１１６はその日時のスケジュールを検索してもよい。
【００５７】
また、検索部１１６は、送信元の通信履歴や、いわゆる電話帳機能に登録されたその送信元に関するデータを検索してもよい。この場合、検索部１１６は、抽出部１１５により抽出されたキーワードではない検索データの内容を表示させていることになる。つまり、制御部１１が実現する機能のうち、抽出部１１５に相当する機能が省略されてもよい。要するに、検索部１１６は、受信メールの内容に関するデータを検索すればよい。
【００５８】
この第２実施形態の通信端末１０によれば、上述の第１実施形態と同等の作用効果を奏する。また、この実施形態の通信端末１０は受信メールに関する検索データの内容を表示することで、表示部１４の表示領域を効果的に利用し、ユーザに対して受信メールに関する別の情報を提供することができる。
【００５９】
［変形例］
本発明は、上述した実施形態と異なる形態で実施することが可能である。本発明は、例えば、以下のような形態で実施することも可能である。また、以下に示す変形例は、各々を適宜に組み合わせてもよい。
【００６０】
［変形例１］
上述した各実施形態において、表示制御部１１３は、判定部１１１が表示条件を満たすと判定した場合に、所定期間内（例えば、２週間）に同一の送信元と自通信端末１０との間で送受信した受信メール及び返信メールの内容を一覧表示させてもよい。表示制御部１１３は、例えば、受信メール及び返信メールの内容をその受信時刻及び送信時刻順に並べて、それらを一覧表示する。
図１１は、この変形例のメール返信画面の一例を示す図である。図１１において、矩形の二点鎖線の領域が表示部１４の表示領域に相当する。表示領域からはみ出している部分の内容は、ユーザによる操作部１２のスクロール操作などによって表示領域で表示される。この変形例によれば、通信端末１０は、例えば返信メール作成のきっかけとなった受信メールの内容に限らず、同一の送信元との電子メールの一連の遣り取りの履歴を表示する。よって、ユーザにしてみれば、電子メールの遣り取りの流れを容易に確認することができる。
【００６１】
［変形例２］
上述した各実施形態において、制御部１１は、通信端末１０の利用状況に基づいて閾値を変更する構成を有していてもよい。以下、第１実施形態の構成を変形した場合を説明する。
図１２は、制御部１１が実現する機能構成を示す機能ブロック図である。制御部１１はメーラ１５１を含むプログラムを実行することにより、判定部１１１、残量特定部１１２、表示制御部１１３、受付部１１４及び閾値変更部１１７に相当する各機能を実現する。
なお、判定部１１１、残量特定部１１２及び受付部１１４が実現する機能は、上述の第１実施形態と同じであり、その説明を省略する。
【００６２】
通信端末１０は、第２形態のときには、必ず受信メールをメール返信画面において表示する。これに対し、閾値変更部１１７は、メール返信画面において受信メールの内容が表示されているときに、通信端末１０を第１形態に変更する操作を受付部１１４が受け付けた回数を計数する。そして、この回数が閾値に達すると、閾値変更部１１７は、表示条件を満たしにくくなるように条件記憶部１５２の表示条件を書き換える。このようにしているのは、受信メールが表示されている状態で、ユーザが敢えて第１形態に切り換えているのは、受信メールの内容を参照しなくてよいと考えられるからである。よって、閾値変更部１１７は、例えば第１実施形態の構成例（Ａ−１）では、表示条件の閾値を大きくし、構成例（Ｂ）では、所定期間内に送受信した電子メールの数に関する閾値を大きくするなどして表示条件を変更する。また、閾値変更部１１７は、メール返信画面において受信メールの表示自体がなくなるように表示条件を変更してもよい。
【００６３】
また、本発明を以下のようにしてもよい。
閾値変更部１１７は、通信端末１０が第１形態であり、メール返信画面において受信メールの内容を表示させないときに、受付部１１４が第２形態に変更する操作を受け付けた回数を計数する。そして、この回数が閾値に達すると、閾値変更部１１７は、表示条件を満たしやすくなるように条件記憶部１５２の表示条件を書き換える。この構成では、このようにユーザが受信メールの内容を参照することを望む機会が多いと考えられる場合には、閾値変更部１１７は、表示条件を満たしやすくなるように条件記憶部１５２の表示条件を書き換えることになる。例えば、値変更部１１７は、例えば第１実施形態の構成例（Ａ−１）では、表示条件の閾値を小さくし、構成例（Ｂ）では、所定期間内に送受信した電子メールの数に関する閾値を小さくする。
なお、閾値変更部１１７は、受付部１１４が通信端末１０の形態を変更する操作を受け付けた回数が閾値以上になった場合に代えて、その操作を受け付けた頻度が閾値以上になった場合に表示条件を変更してもよい。また、本変形例の構成は、第２実施形態の構成の通信端末１０にも適用可能である。
【００６４】
［変形例３］
上述した第２実施形態において、抽出部１１５は、受信メールからキーワードを抽出していたが、返信メールからキーワードを抽出してもよい。この場合、検索部１１６は、返信メールから抽出されたキーワードに関するデータ（コンテンツ）を検索することになる。もちろん、抽出部１１５は、受信メール及び返信メールの双方からキーワードを抽出してもよい。
【００６５】
［変形例４］
上述した各実施形態において、残量特定部１１２の機能を省略してもよい。この場合、判定部１１１の判定結果のみで、メール返信画面における受信メールの表示の有無が決まる。
また、上述した各実施形態において、通信端末１０が第２形態のときは、メール返信画面において必ず受信メールの内容を参照していたが、第１形態と同じように表示条件に基づく表示制御を行ってもよい。また、形態の切り換えは実施形態の態様に限らず、例えば折り畳み式の携帯電話端末であれば、第２ユニット２００の第１ユニット１００に対する開閉方向を異ならせることで、第１形態と第２形態とが切り換え可能なものであってもよい。また、通信端末１０はスライド型の携帯電話端末など、折り畳み方式のものに限定されない。また、本発明の通信端末は、表示部の表示領域に対して２以上の表示方向で画面表示できるものに限らない。
【００６６】
［変形例５］
本発明の電子メールは、送信元と送信先との間で遣り取りされるメッセージと、送信先又は送信元を表すアドレス情報とを少なくとも含む構造のデータであればよい。よって、本発明の電子メールは、例えばＳＭＳ（Short Message Service）によって送受信されるデータなども含む概念のものである。
【００６７】
［変形例６］
上述した各実施形態では、本発明の通信端末を携帯電話端末に適用した場合を説明したが、本発明は、その他の通信端末に適用することも可能である。本発明は、例えば、スマートフォンやＰＤＡ（Personal Digital Assistance）などの電子メールの送受信が可能な通信端末に適用することができる。この場合に、例えば操作部１２や表示部１４、記憶部１５に相当する構成を、適宜外部構成としても本発明を特定し得る。
また、上述した各通信端末の制御部１１が実現する各機能は、複数のプログラムの組み合わせによって実現され、又は、複数のハードウェア資源の協働によって実現され得る。
【符号の説明】
【００６８】
１０…通信端末、１１…制御部、１１１…判定部、１１２…残量特定部、１１３…表示制御部、１１４…受付部、１１５…抽出部、１１６…検索部、１１７…閾値変更部、１２…操作部、１３…通信部、１４…表示部、１５…記憶部、１５１…メーラ、１５２…条件記憶部。
【図１】
0005528920.tif 000002
【図２】
0005528920.tif 000003
【図３】
0005528920.tif 000004
【図４】
0005528920.tif 000005
【図５】
0005528920.tif 000006
【図６】
0005528920.tif 000007
【図７】
0005528920.tif 000008
【図８】
0005528920.tif 000009
【図９】
0005528920.tif 000010
【図１０】
0005528920.tif 000011
【図１１】
0005528920.tif 000012
【図１２】
0005528920.tif 000013